(57)【特許請求の範囲】
【請求項１】
伸縮性を有する比較的緩いストレッチ素材を長パンツまたは短パンツ形状に裁断し、腹部を伸縮性の小さい面状ファスナー雌布帛によって縫製した構造とすると共に、背中側腰部中央にパンツ布帛の内側に位置し浮遊縫着構造を呈して取り付けられる比較的硬質の腰当板と、更に腰部背面外側中央に面状ファスナーによる緊締ベルト着脱機構を構成してなるパンツ本体と、
前記パンツ本体の面状ファスナーによる緊締ベルト着脱機構に対して着脱自在に取付け可能になる背当基板の両側に適宜幅をもった伸縮ベルトをそれぞれＶ字状に突出すると共に、前記腰当板両端部の裏面にそれぞれ面状ファスナー雄部材パーツを取り付けた構造になる非伸縮性端部ベルトを連続した構成になる緊締ベルト、とから構成してなり、
着用したパンツ本体の腰部外周に、緊締ベルト着脱機構を作用させた上で、該緊締ベルト着脱機構に取り付けた緊締ベルトの両端部ベルトをパンツ本体の前側方向に引き伸ばし、端部の面状ファスナー雄部材パーツを前記腹部の面状ファスナー雌布帛に押し付けて調節固定することを特徴とするインナーパンツ。
【請求項２】
前記浮遊縫着構造を呈して取り付けられる腰当板が、適宜厚さの発泡ウレタン樹脂を可撓性布帛間に介在して面側から熱圧縮し、撓みに必須の凹凸パターンを構成し、前記発泡ウレタン樹脂の両面を可撓性布帛によって被覆した板状体の構造になることを特徴とする請求項１記載のインナーパンツ。
【発明の詳細な説明】
【０００１】
【発明の属する技術分野】
本発明は、野球等の各種スポーツ用パンツの下に履くインナーパンツに係り、殊に腰椎の回りを圧迫支持する野球用スライディングパンツとして有用なインナーパンツの改良に関するものである。
【０００２】
【従来の技術】
従来より各種スポーツ競技において、腰部を支承する腰ベルトや腰部を支承保護を目的としたスキーパンツ（特願平７−１８８１９６）などが知られている。即ち、腰椎の周りを腰椎に向かって圧迫することによって腰椎のズレを保護すると共にその部分の筋力を向上させることを目的としており、その作用及び効果は顕著であることが知られている。
【０００３】
【発明が解決しようとする課題】
しかし、従来の腰ベルトやパワーパンツの構造では、腰周り全体を圧迫することから、腰椎を背中側から確実に固定することができず、また着用したときのシルエットが腹部をベルトで強く締めたようになって見苦しい等の問題を有していた。
【０００４】
本発明は上記問題に鑑みてなされたものであり、着用したとき背中側を腰椎に沿って圧迫して腰椎を保護するようになると共に、腹側は全体を面状に圧迫して整形するようになる殊に野球用スライデイングパンツとして有用な新規構造のスポーツ競技用インナーパンツを提供することを目的とするものである。
【０００５】
【課題を解決するための手段】
本発明に係るインナーパンツは、伸縮性を有する比較的緩いストレッチ素材を長パンツまたは短パンツ形状に裁断し、腹部を伸縮性の小さい面状ファスナー雌布帛によって縫製した構造とすると共に、背中側腰部中央にパンツ布帛の内側に位置し浮遊縫着構造を呈して取り付けられる比較的硬質の腰当板と、更に腰部背面外側中央に面状ファスナーによる緊締ベルト着脱機構を構成してなるパンツ本体と、前記パンツ本体の面状ファスナーによる緊締ベルト着脱機構に対して着脱自在に取付け可能になる背当基板の両側に適宜幅をもった伸縮ベルトをそれぞれＶ字状に突出すると共に、前記腰当板両端部の裏面にそれぞれ面状ファスナー雄部材パーツを取り付けた構造になる非伸縮性端部ベルトを連続した構成になる緊締ベルト、とから構成してなり、着用したパンツ本体の腰部外周に、緊締ベルト着脱機構を作用させた上で、該緊締ベルト着脱機構に取り付けた緊締ベルトの両端部ベルトをパンツ本体の前側方向に引き伸ばし、端部の面状ファスナー雄部材パーツを腹部の面状ファスナー雌布帛に押し付けて調節固定することを要旨とするものである。
【０００６】
更には該腰当板が、適宜厚さの発泡ウレタン樹脂を可撓性布帛間に介在して面側から熱圧縮し、撓みに必須の凹凸パターンを構成し、前記発泡ウレタン樹脂の両面を可撓性布帛によって被覆した板状体の構造になることをも要旨とするものである。
【０００７】
【発明の実施の形態】
以下、本発明に係るインナーパンツの好ましい実施の形態について図面を参照しながら説明する。
本発明のインナーパンツは、パンツの形態をしたインナーパンツ本体１と、該パンツと別体となり該パンツ本体１のウエスト部外周に取り付ける緊締ベルト２とによって構成してなる
【０００８】
パンツ本体は１、伸縮性を有する比較的緩いストレッチ素材によって半パンツまたは短パンツ形状に裁断縫製され、男子用では必要により小便用前開き構造３を構成する。また前側のウエストラインＷＬから下腹部ラインＢＬに亙る位置は、両腰骨頂部位置ＷＢ，ＷＢ間の部位を伸縮性の少ない面状ファスナー雌布帛４によって縫製した構造とし、ウエストラインＷＬ部には該全周に亙って伸縮性を有するストレッチ素材またはゴム素材で構成したパンツゴム構造５を縫着または内挿によって構成してなる。
【０００９】
また、該パンツ本体１の背中側腰部中央には、パンツを構成する布帛６の内側に位置し、腰当板７がパンツ布帛６と伸縮性を有するストレッチ布帛１２を介して縫着され、浮遊縫着構造８を構成している。腰当板７は、適宜厚さの発泡ウレタン樹脂を可撓性布帛間に介在して面側から熱圧縮し、正面から撓みに必要となる例えば図４に示すような凹凸パターン９を構成し、前記発泡ウレタン樹脂の両面を可撓性布帛１１によって被覆した板状体になる。
【００１０】
該腰当板７は下縁が仙骨ＵＢの位置より上位に位置すると共に、両側縁はストレッチ布帛１２を介して上記面状ファスナー雌布帛４の側縁と縫着され、骨盤の内側に位置するように浮遊縫着構造８をもって縫着されるもので、該浮遊縫着構造８によってパンツ本体１の表面に「攣れ」等の不具合が発生することがない。
【００１１】
また符号１３は、パンツ布帛６の外側に後述する緊締ベルト２の中央を着脱自在に取り付けるためのベルト固定ファスナーであり、一般に「ベルクロ」（登録商標）と称される面状ファスナー雌部材の矩形パーツを上記パンツ本体１の背中側腰部中央に縫着して構成した構造になる。
【００１２】
上記緊締ベルト２は、背当基板１７の両側に適宜幅をもった伸縮ベルト１４，１４…をそれぞれＶ字状に突出すると共に、該両端部に連結板１５，１５を介して非伸縮性端部ベルト１６，１６を連続した構成になり、該背当基板１７の裏面と、両非伸縮性端部ベルト１６の裏面にそれぞれ一般に「ベルクロ」と称される面状ファスナー雄部材パーツ１８，１９，１９を縫着した構造になる。
【００１３】
上記構成のインナーパンツは、パンツ本体１を着用した上からウエスト部に緊締ベルト２を取り付けて使用するものである。
先ず緊締ベルト中央の背当基板１７を該背当基板１７の裏面に設けた面状ファスナー雄部材パーツ１８をパンツ本体１のベルト固定ファスナー１３に取付け、緊締ベルト２を背中心に合わせる。
【００１４】
パンツ本体１には、パンツゴム構造５が構成してあるので着用に際してパンツ本体１自体は被着用者の腰部に安定位置している。この状態から緊締ベルト２の両端部ベルト１６，１６を持ってパンツ本体の前側方向に引き伸ばし、該部の面状雄ファスナー雄部材パーツ１９，１９を腹部を構成する面状ファスナー雌布帛４に押し付けて固定する。
【００１５】
該固定位置によって緊締ベルト２の張力が決定されると同時に引き付け方向が異なり、パンツ本体１に対して浮遊縫着構造８を介して取り付けられた腰当板７の押圧力と押圧方向を着用者が望ましいとするように調節することができる。この調節によって、着用者の脊柱は腰椎の近傍で背中方向両側から背当板７によってまっすぐ支承されるように作用し、周りからの押圧によって筋力が加わるようになる。
【００１６】
また腹側では、腹部面を包むように被覆している面状ファスナー雌布帛４が緊締ベルト２の周方向張力を拡散するように圧力分散させるように作用するため、緊張力を全面で分散支承する。従って、ウエストの一部に張力が掛かって該部だけが不自然に括れるようなことはない。（図５参照）
【００１７】
更に背中側と腹側では内向きの圧力が背中側で大きくなり異なるため、図６に示すように被着者の体型の背中側が腹側より大きく補正されるようになり、理想体型に近似してインナーパンツ着用時のシルエットを改善することができる。
尚、前記本発明のインナーパンツに係る説明で、スポーツ用インナーパンツについて説明したが、本願はその用途に限らず、被着用者の腰椎部を支承保護するものであって、一般のインナーパンツとしても有用であることはいうまでもない。
【００１８】
【発明の効果】
以上述べたように本発明に係るインナーパンツは、パンツ本体と緊締ベルトを別体に構成し、着用したパンツ本体の腰部外周に、緊締ベルト着脱機構を介して取り付け使用する構造になる。このため、緊締ベルトの両端部ベルトをパンツ本体の前側方向に引き伸ばし、該部の面状ファスナー雄部材パーツを腹部の面状ファスナー雌布帛に押し付けて調節固定することにより、着用者が所望する強さに緊張することが可能となり、また緊張角度も調節することができる。
【００１９】
また本発明によれば、着用者の背中側を比較的硬質の腰当板によってストレートに、また腹側を可撓性を有する面状ファスナー雌布帛によって全体的に押圧するようになるため、腰椎の周りの圧力分布が改善され、より好ましい状態で腰椎を支承保持すると共に、該部を好ましいシェイプ状態に整形するようになる。
【００２０】
更に本発明の構成では腰当板が浮遊縫着構造を呈して取り付けられているため、パンツ本体の表面に「攣れ」等の不具合が発生することがない等の特徴を有するものであり、本発明の実施によって得られる効果は極めて大きい。
【図面の簡単な説明】
【図１】本発明に係るインナーパンツの緊締ベルトを装着した状態を示す正面図（ａ）と背面図（ｂ）及び側面図（ｃ）である。
【図２】同インナーパンツの緊締ベルトを装着した状態を示す前側から見た斜視図である。
【図３】同インナーパンツの緊締ベルトを取り外した状態を示す後側から見た斜視図である。
【図４】同インナーパンツの浮遊縫着構造を示す腰当板部分の正面図（ａ）と同Ａ−Ａ線部の拡大断面図である。
【図５】同インナーパンツを着用した場合（ａ）と従来の野球用スライディングパンツを着用した場合（ｂ）の体型シルエットを示す説明図である。
【図６】図５におけるウエスト部横断面の輪郭を示す説明図である。
【符号の説明】
１  パンツ本体
２  緊締ベルト
４  面状ファスナー雌布帛
５  パンツゴム構造
６  パンツ布帛
７  腰当板
８  浮遊縫着構造
９  凹凸パターン
１０  芯材
１１  可撓性布帛
１２  ストレッチ布帛
１３  ベルト固定ファスナー
１４  伸縮ベルト
１５  連結板
１６  非伸縮性端部ベルト
１７  背当基板
１８，１９  面状ファスナー雄部材パーツ
【図１】
0003783110.tif 000002
【図２】
0003783110.tif 000003
【図３】
0003783110.tif 000004
【図４】
0003783110.tif 000005
【図５】
0003783110.tif 000006
【図６】
0003783110.tif 000007